(57)【要約】流体バルブと共に用いる回転防止アセンブリを、本出願において開示する。例としての回転防止アセンブリは、バルブの流れ制御部材と結合する回転防止固定器具と、回転防止固定器具と係合する回転防止器と、を含む。回転防止器は、回転防止固定器具がバルブ中に配置されるときに、回転防止固定器具の長手方向軸に対する回転防止固定器具の回転を防止する。【選択図】図２
2015505602.tif 000002
【特許請求の範囲】
【請求項１】
バルブの流れ制御部材に結合する回転防止固定器具と、
前記回転防止固定器具と係合する回転防止器であって、前記回転防止固定器具が前記バルブ中に配置されるときに、前記回転防止固定器具の長手方向軸に対する前記回転防止固定器具の回転を防止する、回転防止器と、
を備える、回転防止アセンブリ。
【請求項２】
前記回転防止器が、前記回転防止固定器具の第２の係合表面と係合する第１の係合表面を備える、請求項１に記載の回転防止アセンブリ。
【請求項３】
前記回転防止器の前記第１の係合表面が、前記回転防止固定器具の前記第２の係合表面に対して補完的である、請求項２に記載の回転防止アセンブリ。
【請求項４】
前記第１の係合表面が、前記回転防止器の内側表面の少なくとも一部分に沿って形成され、前記第２の係合表面が、前記回転防止固定器具の外側表面の少なくとも一部分に沿って形成される、請求項２または３に記載の回転防止アセンブリ。
【請求項５】
前記第１の係合表面および前記第２の係合表面は各々が、１つ以上の実質的に平坦な形状の部分を備える、請求項２〜４のいずれかに記載の回転防止アセンブリ。
【請求項６】
前記回転防止器が、前記内側表面を画定する中心開口部を有する円筒型の本体を備え、前記内側表面が、１つ以上の実質的に平坦な形状の部分を有する、請求項４に記載の回転防止アセンブリ。
【請求項７】
前記回転防止器の前記実質的に平坦な形状の部分のうちの少なくとも１つが、前記長手方向軸に向かって突出する壁を備え、前記壁が、前記実質的に平坦な形状の部分を画定する、請求項５または６に記載の回転防止アセンブリ。
【請求項８】
前記回転防止器が、前記長手方向軸に対して約１８０度で半径方向に離間される２つの実質的に平坦な形状の部分を備える、請求項１〜７のいずれかに記載の回転防止アセンブリ。
【請求項９】
前記回転防止固定器具の前記１つ以上の実質的に平坦な形状の表面が、弓形の表面の間に配置される、請求項５に記載の回転防止アセンブリ。
【請求項１０】
前記回転防止固定器具が、円筒型本体およびフランジを備え、前記フランジが前記第２の係合表面を画定し、前記本体が前記フランジと隣接する外側表面部分を画定する、請求項２〜７および９のいずれかに記載の回転防止アセンブリ。
【請求項１１】
前記回転防止固定器具の前記第２の係合表面が、前記外側表面部分の直径より大きい直径を有する、請求項２〜７、９および１０のいずれかに記載の回転防止アセンブリ。
【請求項１２】
前記回転防止固定器具が、前記流れ制御部材の少なくとも一部分を受容する中心開口部を備える、請求項１〜１１のいずれかに記載の回転防止アセンブリ。
【請求項１３】
ケージをさらに備え、前記ケージが、前記回転防止固定器具および前記流れ制御部材の少なくとも一部分を滑動的に受容する開口部を有する、請求項１〜１２のいずれかに記載の回転防止アセンブリ。
【請求項１４】
シールをさらに備え、前記回転防止固定器具が、前記バルブ中に前記シールを保持することになっている、請求項１〜１３のいずれかに記載の回転防止アセンブリ。
【請求項１５】
前記シールが、前記回転防止固定器具のエッジと、前記流れ制御部材と、前記ケージとの間に配置される、請求項１４に記載の回転防止アセンブリ。
【請求項１６】
平衡型バルブプラグの少なくとも一部分を受容する開口部と、第１の係合表面を画定する外側表面と、を有する回転防止固定器具と、
内側表面を画定する中心開口部を有する回転防止器であって、前記内側表面が、
第２の係合表面を有し、前記第１の係合表面が前記第２の係合表面に対して補完的であり、前記回転防止固定器具が前記回転防止器に結合して、前記回転防止器に対する前記回転防止固定器具の回転を防止するときに、前記第１の係合表面が、前記第２の係合表面と係合することになっている回転防止器と、
を備える回転防止アセンブリ。
【請求項１７】
前記第１の係合表面が、前記回転防止固定器具の前記外側表面の一部分に沿って配置される１つ以上の実質的に平坦な形状の表面を備え、前記第２の係合表面が、前記回転防止器の前記内側表面の一部分に沿って形成される１つ以上の実質的に平坦な形状の表面を備える、請求項１６に記載の回転防止アセンブリ。
【請求項１８】
前記平衡型バルブプラグをさらに備え、前記平衡型バルブプラグが、ピンを介して前記回転防止固定器具に結合され、これにより、前記回転防止固定器具の長手方向軸に対する前記平衡型バルブプラグの直線的な運動が、前記回転防止固定器具を、前記平衡型バルブプラグと共に運動させる、請求項１６または１７に記載の回転防止アセンブリ。
【請求項１９】
前記回転防止固定器具および前記平衡型バルブプラグの少なくとも一部分を滑動的に受容する中心開口部を有するケージをさらに備える、請求項１６〜１８のいずれかに記載の回転防止アセンブリ。
【請求項２０】
バルブの流れ制御部材を保持する手段であって、バルブ中に配置され、係合のための第１の手段を有する、保持手段と、
前記保持手段の回転を防止する手段であって、前記保持手段が係合のための第２の手段を有し、前記第１の係合手段が、前記第２の係合手段と係合して、前記保持手段の長手方向軸に対する回転を防止する前記手段に対する前記保持手段の回転を防止する手段と、
を備える回転防止アセンブリ。
【発明の詳細な説明】
【技術分野】
【０００１】
本特許は、一般的には流体バルブに関し、より具体的には、流体バルブと共に用いる回転防止アセンブリに関する。
【背景技術】
【０００２】
過程制御システムは、様々な野外装置を用いて、過程パラメータを制御および／または監視する。流体制御バルブなどの野外装置は、バルブの通路を介する流体の流れを制御する。制御バルブは、一般的に、アクチュエータを用いて、バルブのオリフィスに対して流れ制御部材を運動させて、バルブの通路を介する流体の流れを許容し、かつバルブの通路を介する流体の流れを制限もしくは防止する。アクチュエータは、バルブのステムを介して流れ制御部材に対して動作可能に結合される。
【０００３】
一部の過程制御デバイスは、しばしば、流体の漏えいを防止するシールを含む。例えば、一部の周知の流体バルブは、ベローズ型シールを用いて、バルブステムに沿って周囲に流体が漏えいするのを防止する。しかしながら、シール（例えば、ベローズシール）は、しばしば、シールの動作寿命を著しく減少させ得る動作中でのストレスを受ける。例えば、バルブ本体の通路を介して流れる流体は、ベローズ型シールに対してねじれ負荷を付与し得る。ねじれ負荷は、ベローズ型シールのサイクル寿命を著しく減少させ得る。
【発明の概要】
【０００４】
例としての回転防止アセンブリは、バルブの流れ制御部材に結合する回転防止固定器具と、回転防止固定器具に係合する回転防止器とを含む。回転防止器は、回転防止固定器具がバルブ中に配置されるときに、回転防止固定器具の長手方向軸に対して回転防止固定器具が回転することを防止する。
【０００５】
別の例としての回転防止アセンブリは、バランスのとれたバルブプラグの少なくとも一部分を受容する開口部と、第１の係合表面を画定する外側表面とを有する回転防止固定器具を含む。回転防止器は、内側表面が第２の係合表面を有する内側表面を画定する中心開口部を有する。第１の係合表面は、第２の係合表面に対して補完的であり、これで、回転防止固定器具が回転防止器に結合して、回転防止器に対する回転防止固定器具の回転を防止するときに、第１の係合表面が第２の係合表面に係合するようにしている。
【図面の簡単な説明】
【０００６】
【図１】周知の流体バルブの断面図である。
【図２】図１の流体バルブと共に用いられ得る回転防止固定器具アセンブリ断面図のである。
【図３Ａ】図２の例としての回転防止アセンブリの断面斜視図である。
【図３Ｂ】図２および３Ａの例としての回転防止アセンブリの平面図である。
【発明を実施するための形態】
【０００７】
本明細書中に開示する例としての回転防止アセンブリは、流体バルブのバルブ本体に対してバルブステムおよび／または流れ制御部材のねじり回転を著しく軽減または防止する。その結果、本明細書中に開示する回転防止アセンブリは、ベローズ型シールに付与されるねじれ負荷を防止または著しく軽減するために用いられ得る。例えば、本明細書中に開示する回転防止アセンブリは、流れ制御部材が流体バルブのバルブ座から離れて置かれるときに、バルブの通路を介して流れる過程流体（例えば、比較的高圧の過程流体）が、流れ制御部材の長手方向軸に対して流れ制御部材および／またはバルブステムをねじるまたは回転させることを著しく防止する。バルブステムおよび／または流れ制御部材の回転を制限することは、ベローズ型シールの動作寿命を著しく延長する。
【０００８】
加えてまたは代替的に、本明細書に開示する例としての回転防止アセンブリは、平衡型流れ制御部材の使用を可能とする。特に、本明細書に開示する回転防止アセンブリは、流れ制御部材が閉鎖位置にあるときに、流れ制御部材とケージおよび／またはバルブ本体との間での流体の流れまたは漏えいを防止するシールを受容する密封グランドを画定する。平衡型流れ制御部材は、開放位置と閉鎖位置との間を運動するのにより少ない推進力で済む。その結果、比較的より小さいアクチュエータを用い得る。
【０００９】
本明細書に開示する例としての回転防止アセンブリは、回転防止固定器具および回転防止器を含む。回転防止固定器具は、流れ制御部材に結合（例えば、固定）される。回転防止固定器具は、流れ制御部材またはバルブプラグ（例えば、平衡型バルブプラグ）の少なくとも一部分を受容する開口部と、第１の係合表面または鍵合わせ部分を画定する外側表面と、を含む。また、回転防止器の少なくとも一部分もまた、係合表面または鍵合わせ部分を含む。回転防止器の係合表面または鍵合わせ部分は、回転防止固定器具の係合表面または鍵合わせ部分に対して補完的であって、回転防止器が回転防止固定器具に結合しているときに、回転防止器と回転防止固定器具との間に実質的にぴったりはまる接続を提供する。
【００１０】
流体バルブに結合するとき、回転防止器は、回転防止固定器具と係合して、回転防止固定器具、したがって流れ制御部材が、回転防止固定器具および／または流れ制御部材の長手方向軸に対して回転するまたはねじれることを防止する。一部の例では、回転防止固定器具の係合表面は、回転防止固定器具の外側表面の一部に沿って形成され得るし、回転防止器の係合表面は、回転防止器の内側表面の一部に沿って形成され得る。回転防止器および回転防止固定器具のそれぞれの係合表面は、１つ以上の実質的に平坦な形状のまたは直線的な表面であり得る。
【００１１】
本明細書に開示する例としての回転防止アセンブリを検討する前に、周知の流体バルブ１００の簡単な説明を図１に提供する。図１の流体バルブ１００は、取り入れ口１０６と取り出し口１０８との間の流体流れ通路１０４を画定するバルブ本体１０２を含む。流れ制御アセンブリ１１０は、通路１０４を通る流体の流れを制御する。図１に示すように、流れ制御アセンブリ１１０は、バルブプラグ１１２、ケージ１１４、バルブステム１１６、回転防止器１１８、およびベローズシールフランジ１２０を含む。
【００１２】
バルブプラグ１１２は、バルブステム１１６に動作可能に結合して、バルブ座１２２から離れる第１の方向に運動して、通路１０４中での流体の流れを許容し、バルブ座１２２に向かう第２の方向に運動して、通路１０４中での流体の流れを制限または防止する。図１のバルブプラグ１１２は、不平衡型バルブプラグである。したがって、バルブプラグ１１２がバルブ座１２２と閉鎖位置で密封するように係合するとき、バルブプラグ１１２を閉鎖位置に運動させるおよび／またはバルブプラグ１１２に充分な推進力を提供して、比較的緊密な密封を提供するためには、比較的大型のアクチュエータが必要とされ得る。ボンネット延長部１２４は、バルブ本体１０２をボンネット１２６に結合させ、このボンネットはバルブ本体１０２をアクチュエータ（図示せず）に結合させる。
【００１３】
図１では、ボンネット延長部１２４は、バルブステム１１６を滑動可能に受容するアパーチュア１２８を含む。加えて、ベローズシール１３０が、ボンネット延長部１２４のアパーチュア１２８内に配置されて、バルブ本体１０２のチャンバ１３２中の流体がバルブステム１１６に沿って周囲に漏えいすることを防止する。図示するように、ベローズシール１３０は、ベローズシールフランジ１２０に結合した第１の端部１３４ａと、ベローズ配管１３０ａの上側部分すなわちコネクタ１３６に結合した第２の端部１３４ｂと、を有する。コネクタ１３６は、例えば溶接によってベローズ配管１３０ａに結合しており、バルブステム１１６を滑動可能に受容する中心アパーチュアを含む。ベローズ配管１３０ａは、例えば溶接によってベローズフランジ１２０に結合される。
【００１４】
動作に際し、アクチュエータ（図示せず）は、長手方向軸１４０に沿ってバルブ座１２２に対してバルブプラグ１１２を直線運動で運動させて、通路１０４を通る流体の流れを制御する。加えて、バルブステム１１６が、バルブプラグ１１２がバルブ座１２２と密封するように係合する第１の位置と、バルブプラグ１１２がバルブ座１２２から離れている第２の位置（例えば、開放位置）との間を運動するときに、ベローズシール１３０は、長手方向軸１４０に沿った方向で軸方向に伸縮する。したがって、各々の動作サイクル中、ベローズシール１３０は負荷（例えば、軸方向の負荷）を受け、したがって、ベローズシール１３０のサイクル寿命および／または耐用年数に影響するストレスを受ける。
【００１５】
ベローズシール１３０は、バルブステム１１６の運動に応じて長手方向軸１４０に沿って軸方向に伸縮する１つ以上の回旋１４２を有する。回旋１４２を形成するために、ベローズシール１３０は、平坦なシートまたはホイルを圧延して管にして、次にこれを長手方向に溶接して形成または打ち抜く。代替的には、シール１３０は、薄い金属の座金状の板を、座金の内周および外周の双方のところで一緒に溶接することによって形成され得る。回旋の溶接部分は、ねじり負荷（例えば、比較的大きいねじり負荷またはねじり力）がベローズシール１３０に付与されるときに、損傷を受けやすい。一部の例では、ねじり負荷によって、ベローズシール１３０は、ベローズシール１３０の定格のサイクル寿命（例えば、ねじり負荷を受けないベローズシールの動作寿命）の前に故障し得る。
【００１６】
例えば、動作中、比較的高圧の過程流体は、バルブプラグ１１２がバルブ座１２２から離れているときに、バルブプラグ１１２に対してねじり負荷を付与し得る。バルブステム１１６は、バルブプラグ１１２に対して第１の端部１３４ａで固定して結合されているため、バルブプラグ１１２に付与されるねじり負荷によって、バルブステム１１６は、長手方向軸１４０に対してねじれるまたは回転する。すると、ベローズシール１３０とバルブステム１１６との間の第１の端部１３４ａのため、ベローズシール１３０はねじり負荷を経験する。動作中、回転防止器１１８は、長手方向軸１４０に対するバルブプラグ１１２の回転運動を減少させ、これが、ベローズシール１３０のこのようなねじれを軽減させる。しかしながら、すでに注記したように、バルブプラグ１１２は不平衡型バルブプラグである。図１の回転防止器１１８と組み合わせて平衡型バルブプラグを用いることは、流体バルブ１００の閉鎖格付けに影響し得る（減少させ得る）が、それは、バルブプラグ１１２がバルブ座１２２と密封的に係合している（例えば、閉鎖位置にある）ときに、ケージ１１４とバルブプラグ１１２との間で流体の漏えいが発生し得るからである。
【００１７】
図２は、本明細書に開示する教示に従って例としての回転防止アセンブリ２０４を含む流れ制御アセンブリ２０２を有する例としての流体バルブ２００の断面図である。例えば、流れ制御アセンブリ２０２および／または回転防止アセンブリ２０４は、図１の流れ制御アセンブリ１１０に取って代わり得るおよび／または例えば図１の流体バルブ１００などの当該分野の流体バルブを組み込み得る。
【００１８】
図２を参照すると、流体バルブ２００は、取り入れ口２１０と取り出し口２１２との間の流体流れ通路２０８を画定するバルブ本体２０６を含む。流れ制御アセンブリ２０２は通路２０８内に配置されて、取り入れ口２１０と取り出し口２１２との間の通路２０８を通る流体の流れを制御する。図２の流れ制御アセンブリ２０２は、流れ制御部材２１４（例えば、バルブプラグ）、ケージ２１６、および回転防止アセンブリ２０４を含む。より具体的には、ケージ２１６は、流れ制御部材２１４の少なくとも一部分を滑動可能に受容する開口部２１８を含み、かつ、通路２０８中を流れる流体に対してある流れ特徴を付与するために（例えば、容量を制御する、雑音を減少させる、キャビテーションを軽減するなどのために）、取り入れ口２１０と取り出し口２１２との間に配置される。
【００１９】
図２に示すように、流れ制御部材２１４は、流れ制御部材２１４が、バルブ座２２２と密封的に係合するときに（例えば、閉鎖位置）、ケージ２１６と一体形成されたバルブ座２２２と係合する密封表面２２０を含む。したがって、流体バルブ２００中で許容される流量は、バルブ座２２２に対する流れ制御部材２１４の位置によって制御される。
【００２０】
流れ制御部材２１４は、平衡型流れ制御部材であり、バルブステム２２６を受容する（例えば、螺合して受容する）中心開口部２２４を含む。バルブステム２２６に対する流れ制御部材２１４の回転をさらに防止するために、流れ制御部材２１４は、留め具またはピン（図示せず）を受容する開口部２２８を含む。流れ制御部材２１４を平衡させるために、複数の貫通通路２３２が、流れ制御部材２１４の上側表面２３４と下側表面２３６との間に形成される。通路２３２の各々は、流れ制御部材２１４の長手方向軸２３０に対して実質的に平行である軸２３２ａを含んでいて、流れ制御部材２１４の下側と上側の表面２３４と２３６との間での流体の流れを可能としている。平衡型流れ制御部材２１４の結果として、かつ図１の流体バルブ１００とは対照的に、解放位置と閉鎖位置との間で流れ制御部材２１４を運動させるおよび／または流れ制御部材２１４をバルブ座２２２と密封的に係合するように運動させることによって通路２０８中での流体の流れを防止するまたは制限するために、より少ない推進力を提供する比較的小さいアクチュエータが用いられ得る。図２の流体バルブ２００はまた、過程流体がバルブステム２２６に沿って周囲に漏えいすることを防止するバルブステム２２６を取り囲むベローズシール２３８を含む。
【００２１】
回転防止アセンブリ２０４は、バルブ本体２０６の通路２０８中に配置される。例としての回転防止アセンブリ２０４は、回転防止固定器具すなわち挿入部分もしくは誘導部分２４０と、回転防止器２４２と、を含む。図２の回転防止固定器具２４０は、ケージ２１６の開口部２１８中に少なくとも部分的に配置され、回転防止器２４２は、ケージ２１６とベローズシールフランジ２４４との間に配置または捕獲される。他の例では、回転防止器２４２がベローズシールフランジ２４４とバルブ本体２０６との間に配置または捕獲されるように、ケージ２１６が省略され得る。ベローズシール２３８は、バルブステム２２６に対してはベローズシール２３８の第１の端部で結合され、かつ、図１のコネクタ１３６などのコネクタに対しては第１の端部の反対側の第２の端部で結合される。回転防止アセンブリ２０４は、ねじり負荷がベローズシール２３８に付与されるのを防止するまたは著しく軽減する。
【００２２】
図示する例の回転防止固定器具２４０は、第１の部分すなわち本体２４６（例えば、円筒型の本体）および第２の部分すなわちフランジ２４８を含む。本体２４６は、回転防止固定器具２４０の第１の外側表面部分２５０を画定し、フランジ２４８は、回転防止固定器具２４０の第２の外側表面部分２５２を画定する。図２に示すように、フランジ２４８の直径すなわちサイズは、本体２４６の直径より大きい。より具体的には、本体２４６は、ケージ２１６の開口部２１８中に少なくとも部分的に配置されるおよび／またはケージ２１６の開口部２１８の内側表面２５４に対して滑動する。
【００２３】
図２に示すように、回転防止固定器具２４０の本体２４６の端部もしくはエッジ２５６、ケージ２１６、および流れ制御部材２１４は、流れ制御部材２１４がバルブ座２２２と密封的に係合しているときに、回転防止固定器具２４０とケージ２１６との間での流体の漏えいを防止するシール２６０（例えば、Ｃシール）を受容するグランドすなわち空洞２５８を画定する。他の例では、しかしながら、回転防止固定器具２４０の本体２４６および／またはフランジ２４８が、シール２６０を受容する溝またはチャネル（例えば、環状のグランド）を含み得る。加えてまたは代替的に、回転防止固定器具２４０の本体２４６によって画定される外側表面部分２５０は、ケージ２１６に対する回転防止固定器具２４０の位置合わせを維持するのを支援するおよび／または回転防止固定器具２４０とケージ２１６との間のシールの提供を支援するピストンリング２６４（例えば、カーボングラファイトピストンリング）を受容する環状のグランド２６２を含む。一部の例では、環状グランド２６２は、シール（例えば、Ｃシール）を受容し得る。
【００２４】
図３Ａは、図２の回転防止アセンブリ２０４の断面斜視図である。図３Ｂは、流れ制御部材２１４に結合された回転防止固定器具２４０の平面図である。図３Ａおよび３Ｂを参照すると、回転防止固定器具２４０は、流れ制御部材２１４の少なくとも一部分３０６（例えば、ステム部分）を受容するようなサイズのまたは構成の中心開口部３０４を有する円筒型本体３０２である。加えて、流れ制御部材２１４は、回転防止固定器具２４０に対して固定して結合されている。図３に示すように、回転防止固定器具２４０は、流れ制御部材２１４のそれぞれの開口部３１０と位置が一致する１つ以上の開口部３０８を含む。回転防止固定器具２４０の開口部３０８ａおよび流れ制御部材２１４の開口部３１０ａは、ピン３１２を受容して、回転防止固定器具２４０と流れ制御部材２１４とを結合（例えば、固定的に結合）させ、これにより、流れ制御部材２１４が回転防止固定器具２４０に対して動く（例えば、回転するまたは滑動する）ことが不可能となるようにする。回転防止固定器具２４０の開口部３０８は、本体２４６の内側表面３１４と、本体２４６の環状グランド２６２によって形成または画定される環状の表面３１６との間に形成される。この例では、開口部３０８および３１０は、長手方向軸２３０に対して実質的に直交するそれぞれの軸３１８を含む。他の例では、しかしながら、開口部３０８および３１０のそれぞれの軸３１８は、長手方向軸２３０に対して任意の角度にあり得るおよび／または非平行的な方位にあり得る。したがって、バルブステム２２６、流れ制御部材２１４、および回転防止固定器具２４０は固定して結合されて、単一のユニットまたはアセンブリとして機能する。
【００２５】
図示する例では、回転防止固定器具２４０は、回転防止固定器具２４０の係合表面または鍵合わせ部分３２０を画定する。係合表面または鍵合わせ部分３２０は、回転防止固定器具２４０の外側表面２５０および／または２５２の少なくとも一部分に沿って形成される。特に、図３に示すような係合表面３２０は、フランジ２４８の外側周辺エッジに近接してまたは隣接して配置または形成される。より具体的には、図示する例の係合表面３２０は、１つ以上の実質的に平坦な形状のもしくは直線的な部分または表面３２４を含む。図３Ｂに最も明瞭に示すように、実質的に平坦な形状の部分３２４は、回転防止固定器具２４０またはフランジ２４８の弓形のもしくは湾曲した表面３２６同士間に配置される。例えば、回転防止固定器具２４０は円筒型本体として形成され得るし、実質的に平坦な形状の部分３２４は、次いで、例えば機械加工によって形成され得る。
【００２６】
回転防止器２４２は、中心開口部３３２を有する円筒型本体３３０である。特に、中心開口部３３２は、少なくとも段付き部分３３６を有する内側表面３３４を画定する。回転防止固定器具２４０と類似して、回転防止器２４２は、係合表面または鍵合わせ部分３３８を含む。より具体的には、係合表面３３８は、回転防止器２４２の内側表面３３４の少なくとも一部分に沿って形成される。図示する例では、回転防止器２４２の係合表面３３８は、１つ以上の実質的に平坦な形状のもしくは直線的な表面または部分３４０を含む。図３Ａに示すように、回転防止器の１つ以上の実質的に平坦な形状の部分３４０は、後出の壁３４２が実質的に平坦な形状の部分３４０を画定する長手方向軸２３０に向かって突出する内側表面３３４上に形成された壁または突起３４２を含む。この例では、回転防止器２４２は、長手方向軸２３０に対して約１８０度で半径方向に離間している２つの実質的に平坦な形状の部分３４０ａおよび３４０ｂを含む。しかしながら、回転防止器２４２は、回転防止器２４２の内側表面３３４上に配置された唯一の実質的に平坦な形状の部分３４０もしくは係合表面３３８および／または３つ以上の平坦形状の部分３４０もしくは係合表面３３８を含み得る例もある。図示するように、係合表面３３８および／または壁３４２は、回転防止器２４２の弓形のもしくは湾曲した表面３４４と内側表面３３４との間に形成される。
【００２７】
回転防止固定器具２４０の係合表面３２０は、回転防止器２４２の係合表面３３８と係合するまたは接触する（すなわち、直接的に接触する）。図示する例では、それぞれの回転防止固定器具２４０および回転防止器２４２の実質的に平坦な形状の表面３２４および３４０の双方は、長手方向軸２３０に対して実質的に平行な面または平面を有する。加えて、回転防止固定器具２４０は、流れ制御部材２１４が解放位置と閉鎖位置との間をバルブシール２２２に対して運動するときに、回転防止器２４２に対して滑動することが可能である。幾つかの例では、それぞれの回転防止固定器具２４０および回転防止器２４２の係合表面３２０および３３８は、図３Ａおよび図３Ｂに説明する実質的に平坦な形状の表面３２４および３４０以外の異なった形状または構成を有し得る。例えば、壁３４２は、回転防止器固定器具２４０（例えば、さねはぎ接続部）のフランジ２４８上に形成された補完的スロットおよび／またはトラックに対して係合もしくは滑動するトラックおよび／またはスロットを含み得る。さらに別の例では、回転防止固定器具２４０の係合表面３２０および回転防止器２４２の係合表面３３８は、スプライン接続部であり得る。例えば、係合表面３２０および３３８は、回転防止固定器具２４０および回転防止器２４２の全円周または全周に沿って延長するスプラインを含み得る。
【００２８】
動作中、回転防止固定器具２４０に結合されるとき、回転防止器２４２は、長手方向軸２３０（すなわち、回転防止固定器具２４０および／またはケージ２１６）に対する、回転防止固定器具２４２と、したがって流れ制御部材２１４との回転を防止する。特に、回転防止固定器具２４０の係合表面３２０は、回転防止器２４２の係合表面３３８に対して補完的であって、回転防止器２４２と回転防止固定器具２４０との間に実質的にぴったりはまる接続を提供する。より具体的には、それぞれの回転防止固定器具２４０および回転防止器２４２の実質的に平坦な形状の部分３２４および３４０が係合して、回転防止固定器具２４０が流体バルブ２００内に配置されるときに、長手方向軸２３０に対する回転防止固定器具２４０の回転を防止する。したがって、流れ制御部材２１４は、回転防止アセンブリ２０４を介して、流れ制御部材２１４に印加されるねじりまたはねじれ負荷が、ベローズシール２３８に伝達されることを防止し、これによりベローズシール２３８の動作寿命を増す。
【００２９】
製造のある例としての方法、装置、および品目を本明細書に説明したが、本特許の網羅する範囲はこれらに限定されない。反対に、本特許は、添付のクレームの範囲に文字通りまたは等価物の原則に従って適正に入る製造の全ての方法、装置、および品目を網羅する。
【図１】
2015505602.tif 000003
【図２】
2015505602.tif 000004
【図３Ａ】
2015505602.tif 000005
【図３Ｂ】
2015505602.tif 000006
【国際調査報告】
2015505602.tif 000007
2015505602.tif 000008
2015505602.tif 000009